(57)【要約】【課題】別途精査処理を行なうことなく、リアルタイムで紙幣枚数の確定を行なうことを可能とした自動取引装置を提供することである。【解決手段】提案する自動取引装置は、紙幣を収納する着脱可能な複数の紙幣収納部と、前記複数の紙幣収納部のそれぞれの内部に設けられた、紙幣繰り出しを伴う取引時に重送した紙幣を収納するためのリジェクト部と、前記各紙幣収納部内の紙幣枚数を記憶する紙幣枚数記憶部と、重送が発生したことを検知する検知部と、重送が発生した場合に、重送した紙幣に対応する紙幣収納部内のリジェクト部まで重送した紙幣を搬送させるように搬送部を制御する搬送制御部と、前記重送した紙幣分を考慮して、前記紙幣枚数記憶部に記憶された、前記重送した紙幣に対応する紙幣収納部内の紙幣枚数を計算する紙幣枚数計算部と、を有する。【選択図】図１
2010157100.tif 000002
【特許請求の範囲】
【請求項１】
紙幣繰り出しを伴う取引時に繰り出す紙幣を収納し着脱可能な複数の紙幣収納部と、
前記紙幣繰り出しを伴う取引に伴い前記各紙幣収納部内の紙幣枚数を記憶する紙幣枚数記憶部と、
前記複数の紙幣収納部からの紙幣の繰り出しの際に紙幣の重送が発生したことを検知する検知部と、
前記複数の紙幣収納部のそれぞれの内部に設けられ、前記重送した紙幣を収納するリジェクト部と、
前記紙幣収納部、前記検知部、および前記リジェクト部の間で紙幣を搬送する搬送部と、
前記検知部により重送が検知された場合、前記重送した紙幣が繰り出された紙幣収納部内のリジェクト部まで重送した紙幣を搬送させるように前記搬送部を制御する搬送制御部と、
前記検知部により重送が検知された場合、前記重送を検知した際の繰り出し紙幣分を前記紙幣枚数記憶部に記憶された紙幣枚数に加算し前記紙幣収納部内の紙幣枚数として計算し、計算結果を前記紙幣枚数記憶部に書き込む紙幣枚数計算部と、を有することを特徴とする自動取引装置。
【請求項２】
前記検知部は、前記繰り出された紙幣の重送の有無および検出回数を検知し、
前記紙幣枚数計算部は、前記紙幣識別部で検知した重送発生回数の値を、前記紙幣枚数記憶部に記憶された紙幣収納部内の紙幣枚数へ加算し、前記紙幣収納部内の紙幣枚数として計算する、ことを特徴とする請求項１記載の自動取引装置。
【請求項３】
紙幣を識別する紙幣識別部、をさらに有し、
前記検知部は、前記紙幣識別部の内部に設けられている、ことを特徴とする請求項２記載の自動取引装置。
【請求項４】
前記検知部は、前記各紙幣収納部に設けられる、ことを特徴とする請求項２記載の自動取引装置。
【請求項５】
前記紙幣収納部毎に設けられ、その紙幣収納部を出入りする紙幣をカウントする計数部をさらに有し、
前記紙幣枚数計算部は、さらに前記計数部がカウントした出金紙幣の枚数を、前記紙幣枚数記憶部から取得した紙幣枚数から減算して、減算結果を前記紙幣枚数記憶部に書き込む、ことを特徴とする請求項３または４記載の自動取引装置。
【請求項６】
前記複数の紙幣収納部は、さらに紙幣の格納を伴う取引時に紙幣を収納し、
前記紙幣枚数計算部は、前記複数の紙幣収納部のいずれかへの紙幣の収納を伴う取引時に、重送有無を問わず、前記紙幣識別部により入金すべきものとして識別された枚数の紙幣が入金されたものとして、前記入金した紙幣に対応する紙幣収納部内の紙幣枚数を計算することを特徴とする請求項５記載の自動取引装置。
【請求項７】
前記紙幣枚数計算部は、前記紙幣の収納を伴う取引の場合、前記計数部がカウントした入金紙幣枚数と前記紙幣識別部により識別された紙幣枚数が異なる場合、前記計数部の入金紙幣枚数の値を前記紙幣識別部により識別された紙幣枚数の値に補正して入金紙幣枚数とし、前記補正された入金紙幣枚数と、前記紙幣枚数記憶部から取得した紙幣枚数を加算して前記紙幣収納部内の紙幣枚数として計算し、計算結果を前記紙幣枚数記憶部に書き込む、ことを特徴とする請求項６記載の自動取引装置。
【請求項８】
前記検知部は、前記複数の紙幣収納部から紙幣を繰り出す処理中に重送の発生および不良
紙幣を検知し、
前記リジェクト部は、前記複数の紙幣収納部のそれぞれの内部に設けられ前記重送紙幣および前記不良紙幣を収納し、
前記搬送制御部は、前記検知部により重送が発生したか、または、不良紙幣が検知された場合に、その重送が発生した紙幣または不良紙幣を、その紙幣収納部内のリジェクト部に収納すべく搬送させるように前記搬送部を制御し、
前記紙幣枚数計算部は、前記紙幣繰り出しを伴う取引において繰り出されることになっている紙幣枚数分を前記紙幣枚数記憶部に記憶された紙幣枚数から減算し前記紙幣収納部内の紙幣枚数として計算し、計算結果を前記紙幣枚数記憶部に書き込むことを特徴とする請求項４記載の自動取引装置。
【請求項９】
紙幣繰り出しを伴う取引時に繰り出す紙幣を収納する着脱可能な複数の紙幣収納部と、
前記紙幣繰り出しを伴う取引に伴い前記各紙幣収納部内の紙幣枚数を記憶する紙幣枚数記憶部と、
前記複数の紙幣収納部からの紙幣の繰り出しの際に紙幣の重送が発生したことを検知する検知部と、
前記複数の紙幣収納部のそれぞれの内部に設けられ、前記重送した紙幣を収納するリジェクト部と、
前記紙幣収納部内の紙幣を前記リジェクト部まで搬送する搬送部と、を有する自動取引装置が実行する紙幣枚数管理方法において、
前記検知部により重送が検知された場合に、前記搬送部により重送した紙幣を搬送して前記重送した紙幣が繰り出された紙幣収納部内のリジェクト部に収納するとともに、前記重送を検知した際の繰り出し紙幣分を前記紙幣枚数記憶部に記憶された紙幣枚数に加算し前記紙幣収納部内の紙幣枚数として計算し、計算結果を前記紙幣枚数記憶部に書き込むステップと、を有することを特徴とする紙幣枚数管理方法。
【請求項１０】
紙幣繰り出しを伴う取引時に繰り出す紙幣を収納し着脱可能な複数の紙幣収納部と、
前記紙幣繰り出しを伴う取引に伴い前記各紙幣収納部内の紙幣枚数を記憶する紙幣枚数記憶部と、
前記複数の紙幣収納部から紙幣を繰り出す処理中に重送の発生および不良紙幣を検知する検知部と、
前記複数の紙幣収納部のそれぞれの内部に設けられ前記重送紙幣および前記不良紙幣を収納するリジェクト部と、
前記紙幣収納部、前記検知部、および前記リジェクト部の間で紙幣を搬送する搬送部と、を有する自動取引装置が実行する紙幣枚数管理方法において、
前記検知部により重送が発生したか、または、不良紙幣が検知された場合に、その重送が発生した紙幣または不良紙幣を搬送して、その紙幣が繰り出された紙幣収納部内のリジェクト部に収納するとともに、前記紙幣繰り出しを伴う取引において繰り出されることになっている紙幣枚数分を前記紙幣枚数記憶部に記憶された紙幣枚数から減算し前記紙幣収納部内の紙幣枚数として計算し、計算結果を前記紙幣枚数記憶部に書き込むステップと、を有することを特徴とする紙幣枚数管理方法。
【発明の詳細な説明】
【技術分野】
【０００１】
本発明は、自動取引装置による紙幣枚数管理方法に関する。
【背景技術】
【０００２】
金融機関に設置された現金自動取引装置においては、運用開始後の必要時もしくは装置内現金の入れ替え時に装置内現金が正しく運用されていることを確認するために、装置内現金もしくは装置の各収納ボックス内の現金の枚数を確定する処理すなわち紙幣精査処理を行っている。
【０００３】
従来、現金自動取引装置の紙幣計数機能を使用して装置内の紙幣をすべて計数するか、または、人手を介して紙幣枚数を数える作業を行なうかして、上記精査処理を実施している。
【０００４】
従来の精査処理方法の場合、現金自動取引装置内の紙幣をすべて数え直すため、時間や手間がかかる。特に、人手を介して紙幣枚数を数える場合は、実際の取引金額や論理値との不整合を起こす原因ともなっている。
【０００５】
そこで、上記不整合をなくすために、自動的に精査・計数を行なったり、または、重送があった場合に再度計数を行なうことにより紙幣枚数を確定させる技術が考えられている。
【０００６】
しかし、前者の、自動的に精査・計数を行なう場合、多量の紙幣を計数することになるので、計数中にジャムを誘発する要因にもなり、ジャムが発生した場合には、長時間装置を停止させなければならない状況に陥る可能性がある。
【０００７】
また、後者の、重送があった場合に再度計数を行なう場合、重送や不良紙幣を計数することで、さらにジャムを誘発し易い状況になっている。なお、重送の枚数を検知するセンサ技術等も向上しているが、様々な媒体（紙幣）の状況が考えられるため、１００％の検知は難しい状況である。
【０００８】
なお、関連技術として、例えば、特許文献１では、顧客業務を稼動させたまま紙幣の補充・計数の確定を行なうことを可能とした自動取引装置が示されている。
また、特許文献２では、出金時に重送があった場合でも、リジェクトボックス内の紙幣枚数等を確定させることが可能な現金自動取引装置が示されている。
【０００９】
また、特許文献３では、各取引において数量不確定となった場合に、その不確定となった収納部のみに対し精査作業を行なうことで、精査作業を効率よく行なうことを可能とした入出金管理装置が示されている。
【特許文献１】特開平１１−５３６０７号公報
【特許文献２】特開平１１−１２０４１４号公報
【特許文献３】特開２００７−１５６７１０号公報
【発明の開示】
【発明が解決しようとする課題】
【００１０】
本発明は、別途精査処理を行なうことなく、リアルタイムで紙幣枚数の確定を行なうことを可能とした自動取引装置および紙幣精査方法を提供することを目的とする。
【課題を解決するための手段】
【００１１】
提案する第１の自動取引装置は、紙幣繰り出しを伴う取引時に繰り出す紙幣を収納し着脱可能な複数の紙幣収納部と、前記紙幣繰り出しを伴う取引に伴い前記各紙幣収納部内の紙幣枚数を記憶する紙幣枚数記憶部と、前記複数の紙幣収納部からの紙幣の繰り出しの際に紙幣の重送が発生したことを検知する検知部と、前記複数の紙幣収納部のそれぞれの内部に設けられ、前記重送した紙幣を収納するリジェクト部と、前記紙幣収納部、前記検知部、および前記リジェクト部の間で紙幣を搬送する搬送部と、前記検知部により重送が検知された場合、前記重送した紙幣が繰り出された紙幣収納部内のリジェクト部まで重送した紙幣を搬送させるように前記搬送部を制御する搬送制御部と、前記検知部により重送が検知された場合、前記重送を検知した際の繰り出し紙幣分を前記紙幣枚数記憶部に記憶された紙幣枚数に加算し前記紙幣収納部内の紙幣枚数として計算し、計算結果を前記紙幣枚数記憶部に書き込む紙幣枚数計算部と、を有する。
【００１２】
前記第１の自動取引装置において、例えば、前記検知部は、前記繰り出された紙幣の重送の有無および検出回数を検知し、前記紙幣枚数計算部は、前記紙幣識別部で検知した重送発生回数の値を、前記紙幣枚数記憶部に記憶された紙幣収納部内の紙幣枚数へ加算し、前記紙幣収納部内の紙幣枚数として計算する。
【００１３】
提案する第２の自動取引装置は、前記第１の自動取引装置において、前記検知部は、前記複数の紙幣収納部から紙幣を繰り出す処理中に重送の発生および不良紙幣を検知し、前記リジェクト部は、前記複数の紙幣収納部のそれぞれの内部に設けられ前記重送紙幣および前記不良紙幣を収納し、前記搬送制御部は、前記検知部により重送が発生したか、または、不良紙幣が検知された場合に、その重送が発生した紙幣または不良紙幣を、その紙幣収納部内のリジェクト部に収納すべく搬送させるように前記搬送部を制御し、前記紙幣枚数計算部は、前記紙幣繰り出しを伴う取引において繰り出されることになっている紙幣枚数分を前記紙幣枚数記憶部に記憶された紙幣枚数から減算し前記紙幣収納部内の紙幣枚数として計算し、計算結果を前記紙幣枚数記憶部に書き込むものである。
【発明の効果】
【００１４】
提案する第１の自動取引装置によれば、紙幣枚数計算部は例えば、重送が発生した回数を、紙幣枚数記憶部に記憶されたその紙幣収納部内の紙幣枚数に加算している。よって、重送した分が再度繰り出されて、例えば、その紙幣収納部の計数部が余分に出金紙幣の枚数をカウントしたとしても、さらに、その加算結果が反映された、紙幣枚数記憶部に記憶されたその紙幣収納部内の紙幣枚数からその余分にカウントされた値を減算することで余剰分を打ち消すことができ、各処理の完了時点等で、紙幣収納部内の紙幣枚数を確定させることが別途精査処理を行なうことなく可能となる。
【００１５】
提案する第２の自動取引装置によれば、各紙幣収納部に設けられた検知部により重送の有無を検知している。よって、例えば、その紙幣収納部の計数部によるカウントの前に重送有無を検知できるので、重送有無を問わず、紙幣収納部内の紙幣枚数を確定させることが再度精査処理を行なうことなく可能となる。
【発明を実施するための最良の形態】
【００１６】
以下図面に基づいて、本発明の実施形態について詳細を説明する。
なお、以下の説明では、現金自動取引装置のうちで、入出金処理を行なうものをＡＴＭ（Automated Teller Machine）、出金処理のみを行なうものをＣＤ（Cash Dispenser）と呼ぶ。
【００１７】
図１は、本発明の一実施形態に係る現金自動取引装置（ＡＴＭ）の構成を示すブロック図である。
図１に示すように、ＡＴＭは紙幣入出金部１を有し、紙幣入出金部１は紙幣を格納する複数台（図１では４台）の着脱可能な収納ボックス２を有する。収納ボックス２は、収納ボックス２への入金枚数あるいは、収納ボックスからの出金枚数をカウントするための計数センサ４を入出金口５の付近にそれぞれ有するとともに、重送が発生した場合に、その重送が発生した紙幣を格納するリジェクト部３を有する。
【００１８】
また、紙幣入出金部１は、紙幣を識別したり、または、重送を検知する紙幣識別部６、紙幣を搬送するための搬送路７、各収納ボックス２内の紙幣枚数を記憶する紙幣枚数記憶部８、紙幣枚数を計算する紙幣枚数計算部９、を有する。なお、紙幣枚数記憶部８は、収納ボックス２内にあってもよい。
【００１９】
また、紙幣枚数計算部９は、入出金の取引毎に起動され、紙幣枚数記憶部８からその取引で紙幣の出入りがあった収納ボックス２に対する紙幣枚数を取得するとともに、その紙幣の出入りがあった収納ボックス２の計数センサ４の値を取得してそれらを加減し、演算結果を紙幣枚数記憶部８のその収納ボックス２のところに上書きする。
【００２０】
すなわち、入金の場合、計数センサ４は、収納ボックス２に入る紙幣枚数をカウントアップする。紙幣枚数計算部９は、現在の取引が入金であることに基づいて、計数センサ４から取得した値と、紙幣枚数記憶部８から取得した値を加算して、加算結果を紙幣枚数記憶部８に書き込む。
【００２１】
出金の場合、計数センサ４は、収納ボックス２から出る紙幣枚数をカウントアップする。紙幣枚数計算部９は、現在の取引が出金であることに基づいて、計数センサ４から取得した値を、紙幣枚数記憶部８から取得した値から減算して、減算結果を紙幣枚数記憶部８に書き込む。
なお、収納ボックス２内の紙幣枚数というとき、リジェクト部３の枚数も含めてカウントする。
【００２２】
図２は、本実施形態の現金自動取引装置（ＡＴＭ）の処理フローチャートである。
図２のステップＳ１で、運用開始に先立って、収納ボックス２の紙幣枚数の確定処理が行われる。現金自動取引装置（ＡＴＭ）に未計数の現金を装填し、紙幣識別部６を通して同一もしくは別の収納ボックスに格納することで計数を行ったり、または、収納ボックス２に封入する際に計数を行なう等する。収納ボックス２毎の確定した紙幣枚数は、紙幣枚数記憶部８に記憶される。
【００２３】
ステップＳ１に続くステップＳ２において、運用が開始され、取引に応じて入出金処理が繰り返される。この入出金処理はステップＳ３〜Ｓ１１でさらに詳細に説明される。すなわち、ステップＳ３において、複数台ある収納ボックス２のうちの少なくとも１台から紙幣の出入りがあったかどうかが検出される。
【００２４】
ステップＳ３で紙幣の出入り無しと判定された場合、ステップＳ２に戻る。
ステップＳ３で紙幣の出入り有りと判定された場合、ステップＳ４において、現在の取引が入金処理であるか出金処理であるかが判定される。
【００２５】
ステップＳ４で、現在の取引が入金であると判定された場合、例えば、ＡＴＭの顧客が紙幣を入金する入出金口（図１では不図示）から入金された紙幣は紙幣識別部６に搬送され、紙幣識別部６において、紙幣種類（千券、万券、等）などを識別され、その後、紙幣識別部６から、複数台ある収納ボックス２のうちの該当するものに紙幣が入金されることになる。
【００２６】
該当する収納ボックス２への紙幣の入金が完了すると、ステップＳ４に続くステップＳ５で、紙幣枚数計算部９は、現在の取引が入金であることに基づいて、該当する収納ボックス２の計数センサ４から取得した値と、該当する収納ボックス２に対応する紙幣種類として今回紙幣識別部６が識別した紙幣枚数とが一致するかどうかを判定する。
【００２７】
ステップＳ５で計数センサ４から取得した値と紙幣識別部６が識別した紙幣枚数とが一致すると判定された場合（ステップＳ５の判定結果がＹｅｓの場合）、ステップＳ７で、紙幣枚数計算部９は、計数センサ４から取得した値と、紙幣枚数記憶部８から取得した値すなわち該当する収納ボックス２の現在の紙幣枚数とを加算して、加算結果を紙幣枚数記憶部８に書き込み、ステップＳ２に戻る。
【００２８】
ステップＳ５で計数センサ４から取得した値と紙幣識別部６が識別した紙幣枚数とが一致しないと判定された場合（ステップＳ５の判定結果がＮｏの場合）、紙幣識別部６と該当する収納ボックス２との間で重送が発生したものと想定し、ステップＳ６で、計数センサ４から取得した値を、入金枚数すなわち紙幣識別部６が今回識別した、該当する収納ボックス２に対応する紙幣種類の紙幣の紙幣枚数に変更し、その変更された計数センサ４の値を使用して、ステップＳ７で、紙幣枚数計算部９は、計数センサ４の値と、紙幣枚数記憶部８から取得した値すなわち該当する収納ボックス２の現在の紙幣枚数とを加算して、加算結果を紙幣枚数記憶部８に書き込み、ステップＳ２に戻る。
【００２９】
一方、ステップＳ４で、現在の取引が出金であると判定された場合、例えば、複数台ある収納ボックス２のうちの該当するものから紙幣が出金されて、紙幣識別部６に搬送され、紙幣識別部６において、紙幣種類（千券、万券、等）、重送有無などを識別され、その後、紙幣識別部６から、ＡＴＭの顧客が紙幣を受け取る入出金口（図１では不図示）まで紙幣が搬送されることになる。
【００３０】
ステップＳ４で現在の取引が出金であると判定された場合の、ステップＳ４に続くステップＳ８では、紙幣識別部６によりこの出金処理における重送有無が判定される。
例えば、この出金処理において、複数枚の紙幣が搬送されるものとし、ステップＳ８においてその複数枚の紙幣のいずれにも重送が発生しなかったと判定された場合、ステップＳ１１において、紙幣枚数計算部９は、現在の取引が出金であることに基づいて、計数センサ４から取得した値を、紙幣枚数記憶部８から取得した値から減算して、減算結果を紙幣枚数記憶部８に書き込み、ステップＳ２に戻る。
【００３１】
また、ステップＳ８において、この出金処理において搬送された複数枚の紙幣のうちの一部において重送が発生したと判定された場合、ステップＳ９において、重送した紙幣を搬送してその紙幣種類に応じた収納ボックス２内に設けられたリジェクト部３に搬送路７を通して搬送し、ステップＳ１０において、計数センサ４から取得した値を、重送した紙幣分補正する。なお、このフローチャートには示されていないが、重送した紙幣分は再度収納ボックス２から繰り出す。
【００３２】
この補正処理について具体例を使用して説明する。例えば、千券９枚を出金する場合において、２枚目、３枚目、４枚目において重送が１回発生した場合、実際は該当する千券用の収納ボックス２から千券９枚が出金されたが、計数センサ４のカウントは“７”になっている。この場合、紙幣枚数計算部９は、紙幣識別部６から重送が発生した回数（この場合、１回）を取得するとともに、計数センサ４の値（この場合、“７”）を取得し、その重送が発生した回数を計数センサ４の値から減算して、計数センサ４の値を“７”から“６”に補正する。重送した紙幣３枚分は再度収納ボックス２１から繰り出すので、結果として計数センサ４の値は“９”に戻る。
【００３３】
また、例えば、千券９枚を出金する場合において、２枚目と３枚目、５枚目と６枚目において重送が２回発生した場合、実際は該当する千券用の収納ボックス２から千券９枚が出金されたが、計数センサ４のカウントは“７”になっている。この場合、紙幣枚数計算部９は、紙幣識別部６から重送が発生した回数（この場合、２回）を取得するとともに、計数センサ４の値（この場合、“７”）を取得し、その重送が発生した回数を計数センサ４の値から減算して、計数センサ４の値を“７”から“５”に補正する。重送した紙幣４枚分は再度収納ボックス２１から繰り出すので、結果として計数センサ４の値は“９”に戻る。
【００３４】
そして、ステップＳ１０に続くステップＳ１１で、その補正した計数センサ４の値を使用して、紙幣枚数計算部９は、現在の取引が出金であることに基づいて、計数センサ４の補正した値を、紙幣枚数記憶部８から取得した値から減算して、減算結果を紙幣枚数記憶部８に書き込み、ステップＳ２に戻る。
【００３５】
なお、図２のフローチャートでは、出金時に重送が発生したときに計数センサ４の値を補正しているが、計数センサ４の値を補正する代わりに、紙幣枚数記憶部８に記憶されている紙幣枚数を補正してもよい。この場合、紙幣枚数計算部９は、重送が発生した回数を紙幣枚数記憶部８に記憶されている紙幣枚数に加算して加算結果を紙幣枚数記憶部８に書き込む。
【００３６】
図３は、本発明の一実施形態に係る現金自動取引装置（ＣＤ）の構成を示すブロック図である。
図３に示すように、ＣＤは紙幣出金部１１を有し、紙幣出金部１１は紙幣を格納する複数台（図３では３台）の着脱可能な収納ボックス１２を有する。収納ボックス１２は、収納ボックス１２からの出金枚数をカウントするための計数センサ１４を出金口１５の付近にそれぞれ有するとともに、重送が発生した場合に、その重送が発生した紙幣を格納するリジェクト部１３を有する。
【００３７】
また、紙幣入出金部１１は、紙幣を識別したり、または、重送を検知する紙幣識別部１６、紙幣を搬送するための搬送路１７、各収納ボックス１２内の紙幣枚数を記憶する紙幣枚数記憶部１８、紙幣枚数を計算する紙幣枚数計算部１９、を有する。なお、紙幣枚数記憶部１８は、収納ボックス１２内にあってもよい。
【００３８】
また、紙幣枚数計算部１９は、出金の取引毎に起動され、紙幣枚数記憶部１８からその取引で紙幣が出金された収納ボックス１２に対する紙幣枚数を取得するとともに、その紙幣が出金された収納ボックス１２の計数センサ１４の値を取得して、計数センサ１４から取得した値を、紙幣枚数記憶部１８から取得した値から減算して、減算結果を紙幣枚数記憶部１８に書き込む。
【００３９】
図４は、本実施形態の現金自動取引装置（ＣＤ）の処理フローチャートである。
図４のステップＳ２１で、運用開始に先立って、収納ボックス１２の紙幣枚数の確定処理が行われる。現金自動取引装置（ＣＤ）に未計数の現金を装填し、紙幣識別部１６を通して同一もしくは別の収納ボックスに格納することで計数を行ったり、または、収納ボックス１２に封入する際に計数を行なう等する。収納ボックス１２毎の確定した紙幣枚数は、紙幣枚数記憶部１８に記憶される。
【００４０】
ステップＳ２１に続くステップＳ２２において、運用が開始され、出金処理が繰り返される。この出金処理はステップＳ２３〜Ｓ２７でさらに詳細に説明される。すなわち、ステップＳ２３において、複数台ある収納ボックス１２のうちの少なくとも１台から紙幣の
出金があったかどうかが検出される。
【００４１】
ステップＳ２３で紙幣の出金無しと判定された場合、ステップＳ２２に戻る。
ステップＳ２３で紙幣の出金有りと判定された場合、例えば、複数台ある収納ボックス１２のうちの該当するものから紙幣が出金されて、紙幣識別部１６に搬送され、紙幣識別部１６において、紙幣種類（千券、万券、等）、重送有無などを識別され、その後、紙幣識別部１６から、ＡＴＭの顧客が紙幣を受け取る入出金口（図３では不図示）まで紙幣が搬送されることになる。
【００４２】
ステップＳ２３で紙幣の出金有りと判定された場合の、ステップＳ２３に続くステップＳ２４は、紙幣識別部１６によりこの出金処理における重送有無が判定される。
例えば、この出金処理において、複数枚の紙幣が搬送されるものとし、ステップＳ２４においてその複数枚の紙幣のいずれにも重送が発生しなかったと判定された場合、ステップＳ２７において、紙幣枚数計算部１９は、計数センサ１４から取得した値を、紙幣枚数記憶部１８から取得した値から減算して、減算結果を紙幣枚数記憶部１８に書き込み、ステップＳ２２に戻る。
【００４３】
また、ステップＳ２４において、この出金処理において搬送された複数枚の紙幣のうちの一部において重送が発生したと判定された場合、ステップＳ２５において、重送した紙幣を搬送してその紙幣種類に応じた収納ボックス１２内に設けられたリジェクト部１３に搬送路１７を通して搬送し、ステップＳ２６において、計数センサ１４から取得した値を、重送した紙幣分補正する（この補正処理の詳細については図２のフローチャートで説明した通りである）。
【００４４】
そして、続く、ステップＳ２７で、その補正した計数センサ１４の値を使用して、紙幣枚数計算部１９は、計数センサ１４の補正した値を、紙幣枚数記憶部１８から取得した値から減算して、減算結果を紙幣枚数記憶部１８に書き込み、ステップＳ２２に戻る。
【００４５】
続いて、本実施形態の変形例について説明する。
図５は、本実施形態の変形例に係る現金自動取引装置（ＡＴＭ）の構成を示すブロック図である。
【００４６】
図５に示すように、ＡＴＭは紙幣入出金部２０を有し、紙幣入出金部２０は紙幣を格納する複数台（図５では４台）の着脱可能な収納ボックス２１を有する。
また、紙幣入出金部２０は、紙幣を識別する紙幣識別部２３、紙幣を搬送するための搬送路７、各収納ボックス２１内の紙幣枚数を記憶する紙幣枚数記憶部８、紙幣枚数を計算する紙幣枚数計算部２４、を有する。
【００４７】
また、収納ボックス２１は、収納ボックス２１への入金枚数あるいは、収納ボックス２１からの出金枚数をカウントするための計数センサ４を入出金口５の付近にそれぞれ有するとともに、収納ボックス２１からの紙幣繰り出し時に重送が発生した場合にその重送が発生した紙幣を格納したり、または、搬送路７上でジャムが発生した場合の不良紙幣を格納するリジェクト部３を有する。
【００４８】
また、収納ボックス２１は、重送を検知するための重送検知センサ２２をリジェクト部３近傍に有する。重送検知センサ２２により、収納ボックス２１からの紙幣繰り出し時に重送が発生したかどうかを検知し、重送が発生した場合には、その重送した紙幣は搬送路に繰り出されることなく、収納ボックス２１内のリジェクト部３に格納される。
【００４９】
本変形例の場合、収納ボックス２１からの紙幣繰り出し中に重送が発生しても、重送し
た紙幣は計数センサ４を通過することなく、同じ収納ボックス２１内のリジェクト部３まで搬送されて格納される。なお、上記したように、重送した紙幣分は再度収納ボックス２１から繰り出すようにする。
【００５０】
なお、図５には示されていないが、各収納ボックス２１内に、重送検知センサ２２の他に、不良紙幣を検知する不良紙幣検知センサを設けてもよい。この場合、重送紙幣および不良紙幣の検知が可能となる。検知された重送紙幣および不良紙幣は、計数センサ４を通過することなく、同じ収納ボックス２１内のリジェクト部３まで搬送されて格納される。
【００５１】
また、本変形例の場合、搬送路７でジャムが発生しても、ジャム紙幣は収納ボックス２１外にあり、収納ボックス２１からの繰り出し枚数は確定しているため、収納ボックス２１内の枚数に影響はなく、紙幣枚数を確定させることができる。すなわち、紙幣枚数が確定された状態を維持し続けることができる。なお、ジャムが発生した場合には、ジャム紙幣（不良紙幣）は、装置の入出金口に繰り出すようにすればよい。
【００５２】
図６は、本実施形態の変形例に係る現金自動取引装置（ＣＤ）の構成を示すブロック図である。
図６に示すように、ＣＤは紙幣出金部３０を有し、紙幣出金部３０は紙幣を格納する複数台（図６では３台）の着脱可能な収納ボックス３２を有する。
【００５３】
また、紙幣出金部３０は、紙幣を識別する紙幣識別部３４、紙幣を搬送するための搬送路１７、各収納ボックス３２内の紙幣枚数を記憶する紙幣枚数記憶部１８、紙幣枚数を計算する紙幣枚数計算部３５、を有する。
【００５４】
また、収納ボックス３２は、収納ボックス３２への入金枚数あるいは、収納ボックス３２からの出金枚数をカウントするための計数センサ１４を出金口１５の付近にそれぞれ有するとともに、収納ボックス３２からの紙幣繰り出し時に重送が発生した場合にその重送が発生した紙幣を格納したり、または、搬送路１７上でジャムが発生した場合の不良紙幣を格納するリジェクト部１３を有する。
【００５５】
また、収納ボックス３２は、重送を検知するための重送検知センサ３３をリジェクト部１３近傍に有する。重送検知センサ３３により、収納ボックス３２からの紙幣繰り出し時に重送が発生したかどうかを検知し、重送が発生した場合には、その重送した紙幣は搬送路に繰り出されることなく、収納ボックス３２内のリジェクト部１３に格納される。
【００５６】
図７は、本実施形態の変形例の現金自動取引装置の処理フローチャートである。本変形例では、出金時の処理を扱うので、このフローチャートはＡＴＭ、ＣＤに共通のものである。
【００５７】
図７のステップＳ３１で、運用開始に先立って、収納ボックス２１または３２の紙幣枚数の確定処理が行われる。現金自動取引装置（ＡＴＭまたはＣＤ）に未計数の現金を装填し、紙幣識別部２３または３４を通して同一もしくは別の収納ボックスに格納することで計数を行ったり、または、収納ボックス２１または３２に封入する際に計数を行なう等する。収納ボックス２１または３２毎の確定した紙幣枚数は、紙幣枚数記憶部８または１８に記憶される。
【００５８】
ステップＳ３１に続くステップＳ３２において、運用が開始され、収納ボックスからの紙幣繰り出しを伴う取引処理が行われる。この取引処理はステップＳ３３〜Ｓ３５でさらに詳細に説明される。すなわち、ステップＳ３３において、その取引処理で紙幣繰り出しが行われる収納ボックス２１または３２において、重送検知センサ２２または３３により
重送の有無が判定される。
【００５９】
ステップＳ３３で重送有りと判定された場合、ステップＳ３４で、重送した紙幣を搬送してその重送が発生した収納ボックス２１または３２内に設けられたリジェクト部３または１３に格納し、ステップＳ３５で、紙幣枚数計算部２４または３５は、計数センサ４または１４がカウントした出金紙幣の枚数を、紙幣枚数記憶部８または１８から取得した紙幣枚数から減算して、減算結果を紙幣枚数記憶部８または１８に書き込む。そして、ステップＳ３２に戻る。すべてが収納ボックス２１または３２内で完結するために、上記のような計数センサ４または１４がカウントした出金紙幣の枚数に対する補正処理がなくなり、信頼性がさらに向上する。
【００６０】
一方、ステップＳ３３で重送無しと判定された場合、ステップＳ３５で、紙幣枚数計算部２４または３５は、計数センサ４または１４がカウントした出金紙幣の枚数を、紙幣枚数記憶部８または１８から取得した紙幣枚数から減算して、減算結果を紙幣枚数記憶部８または１８に書き込む。そして、ステップＳ３２に戻る。
【図面の簡単な説明】
【００６１】
【図１】本発明の一実施形態に係る現金自動取引装置（ＡＴＭ）の構成を示すブロック図である。
【図２】本実施形態の現金自動取引装置（ＡＴＭ）の処理フローチャートである。
【図３】本発明の一実施形態に係る現金自動取引装置（ＣＤ）の構成を示すブロック図である。
【図４】本実施形態の現金自動取引装置（ＣＤ）の処理フローチャートである。
【図５】本実施形態の変形例に係る現金自動取引装置（ＡＴＭ）の構成を示すブロック図である。
【図６】本実施形態の変形例に係る現金自動取引装置（ＣＤ）の構成を示すブロック図である。
【図７】本実施形態の変形例の現金自動取引装置の処理フローチャートである。
【符号の説明】
【００６２】
１、２０      紙幣入出金部
２、１２、２１、３２      収納ボックス
３、１３      リジェクト部
４、１４      計数センサ
５      入出金口
６、１６、２３、３４      紙幣識別部
７、１７      搬送路
８、１８      紙幣枚数記憶部
９、１９、２４、３５      紙幣枚数計算部
１１、３０      紙幣出金部
１５      出金口
２２、３３      重送検知センサ
【図２】
2010157100.tif 000003
【図４】
2010157100.tif 000004
【図７】
2010157100.tif 000005
【図１】
2010157100.tif 000006
【図３】
2010157100.tif 000007
【図５】
2010157100.tif 000008
【図６】
2010157100.tif 000009